(57)【要約】      （修正有）【課題】排紙トレイ上の放置を抑制すると共に、収容部の利用を適正化した画像処理装置を提供する。【解決手段】排紙トレイ有無検出センサで記録シートＡを検出すると、制御部は、タイマにタイムカウントを開始させる。タイムカウント中に手挿入センサが手の挿入を検出すると、制御部は、タイマのタイムカウントをリセットする。そして、制御部は、手の挿入を検出したときから再度タイムカウントを開始させる。所定時間が経過すると、制御部は、天板支えレバー駆動モータを駆動させ、天板３１０を下方に回転させる。制御部は、各ローラ３１１，３１２，３１３を回転駆動させ、排紙トレイ２６４上の記録シートＡを回収ＢＯＸ３００に回収する。【選択図】図３
2009269737.tif 000002
【特許請求の範囲】
【請求項１】
排紙トレイ上の記録シートを回収する収容部を備えた画像処理装置であって、
前記排紙トレイ上の記録シートに対する取り出し操作の有無を検出する取り出し操作検出部と、前記記録シートを前記収容部に回収する回収機構と、前記回収機構を制御する制御部とを備え、
前記制御部は、前記取り出し操作があったとき、前記回収機構の動作を禁止し、前記取り出し操作がなかったとき、前記回収機構を動作させることを特徴とする画像処理装置。
【請求項２】
制御部は、排紙トレイに記録シートが排紙されてから一定時間内に取り出し操作がないとき、回収機構を動作させ、一定時間内に取り出し操作があったとき、前記回収機構の動作を延期させることを特徴とする請求項１に記載の画像処理装置。
【請求項３】
取り出し操作検出部は、利用者が排紙トレイに近づいたか否かを検出し、
制御部は、利用者が排紙トレイに近づいたことを検出したとき、取り出し操作がされたと判断することを特徴とするであることを特徴とする請求項２に記載の画像処理装置。
【請求項４】
排紙トレイが満杯か否かを検出する排紙トレイ満杯検出部を備え、
制御部は、前記排紙トレイが満杯のとき、回収機構を動作させることを特徴とする請求項１〜３のいずれかに記載の画像処理装置。
【請求項５】
排紙トレイが満杯でないとき、制御部は、取り出し操作の有無に応じて、回収機構を動作させるか否かを判断することを特徴とする請求項４に記載の画像処理装置。
【請求項６】
回収機構は、排紙トレイから収容部に向かって記録シートを移動させることを特徴とする請求項１〜５のいずれかに記載の画像処理装置。
【請求項７】
排紙トレイは、装置本体に対して傾斜可能な載置台を有し、
収容部は、傾斜した前記載置台の先に近接した位置に設けられ、
回収機構は、前記載置台を傾斜させて、記録シートを前記収容部に落下させることを特徴とする請求項６に記載の画像処理装置。
【請求項８】
収容部は、記録シートの有無を検出する回収紙有無検出部を備え、
制御部は、収容部に記録シートがあるとき、報知することを特徴とする請求項１〜７のいずれかに記載の画像処理装置。
【請求項９】
収容部は、満杯か否かを検出する回収紙満杯検出部を備え、
制御部は、前記収容部が満杯のとき、報知することを特徴とする請求項８に記載の画像処理装置。
【請求項１０】
収容部は、上面が開放した箱とされ、
前記箱は、利用者が回収された記録シートが取り出しやすいように、装置本体に対して回動自在に設けられたことを特徴とする請求項１〜９のいずれかに記載の画像処理装置。
【発明の詳細な説明】
【技術分野】
【０００１】
本発明は、排紙トレイに放置された記録シートを収容部に移動させる画像処理装置に関する。
【背景技術】
【０００２】
特許文献１には、処理後、排紙された記録シートが排紙トレイ上に所定時間以上放置されているとき、放置された記録シートを収容部に移動させる機能を備えた画像処理装置が開示されている。
【特許文献１】特開平０９−３００７８１号公報
【発明の開示】
【発明が解決しようとする課題】
【０００３】
この場合、排紙後、記録シートは、所定時間が経過したら機械的に収容部に移動されてしまう。利用者は、収容部の中から所望の記録シートを探し出す必要性がある。利用者が見つけられない場合、記録シートは収容部に放置される。これにより、収容部は、すぐに満杯になる可能性が高く、有効に機能しない問題がある。
【０００４】
本発明は、上記に鑑み、排紙トレイ上の放置を抑制すると共に、収容部の利用を適正化した画像処理装置の提供を目的とする。
【課題を解決するための手段】
【０００５】
上記目的を達成するために、本発明では、排紙トレイ上の記録シートを回収する収容部を備えた画像処理装置であって、前記排紙トレイ上の記録シートに対する取り出し操作の有無を検出する取り出し操作検出部と、前記記録シートを前記収容部に回収する回収機構と、前記回収機構を制御する制御部とを備え、前記制御部は、前記取り出し操作があったとき、前記回収機構の動作を禁止し、前記取り出し操作がなかったとき、前記回収機構を動作させることを特徴とする。
【０００６】
制御部は、排紙トレイに対する利用者の取り出し操作に応じて、記録シートを回収するか否かを判断する。そのため、制御部は、排紙トレイの積載状態(満杯か否か)を利用者が把握しているか否かを判断することができる。例えば、制御部は、利用者の取り出し操作があった場合、利用者が排紙トレイの積載状態(満杯か否か)を把握していると推測できるので、記録シートが所定時間以上放置されていたとしても、排紙トレイが満杯にはなりにくい。
【０００７】
そこで、制御部は、入力された処理情報に基づいて処理された記録シートが排紙トレイに排紙されてから一定時間内に取り出し操作がなかったとき、回収機構を動作させて記録シートを収容部に搬送する。制御部は、一定時間内に取り出し操作があったとき、前記回収機構の動作を延期、すなわち、収容部への回収するタイミングを延長する。
【０００８】
取り出し操作の有無は、排紙トレイにある取り出し操作検出部によって検出される。具体的には、取り出し操作検出部は、例えば、人体検出センサ、あるいは、赤外線センサがあげられる。取り出し操作検出部は、排紙トレイに利用者が手や道具をかざす、あるいは、排紙トレイ近傍に近づくといった利用者の動作を検出する。制御部は、排紙トレイに利用者が手や道具をかざしたことを検出したとき、あるいは、利用者が排紙トレイに近づいたことを検出したとき、取り出し操作がされたと判断する。
【０００９】
排紙トレイには、排紙トレイが満杯か否かを検出する排紙トレイ満杯検出部を備える。制御部は、排紙トレイが満杯のときは回収機構を動作させる。制御部は、排紙トレイが満杯でないとき、取り出し操作の有無に応じて、回収機構の動作をさせるか否かを判断する。すなわち、制御部は、前記取り出し操作があったとき、前記回収機構の動作を延長し、前記取り出し操作がなかったとき、前記回収機構を動作させる。
【００１０】
回収機構は、排紙トレイから収容部に向かって記録シートを移動させる。具体的には、排紙トレイは、装置本体に対して傾斜可能な載置台を有する。収容部は、傾斜した前記載置台の先に近接した位置に設けられる。回収機構は、前記載置台を傾斜させて、記録シートを前記収容部に落下させる。
【００１１】
他の方法としては、排紙トレイは、モータ等によって回転駆動するローラを有する。収容部は、載置台の先端に近接した位置に設けられる。回収機構は、前記ローラを駆動させて、記録シートを前記収容部に搬送する。
【００１２】
収容部は、記録シートの有無を検出する回収紙有無検出部を備える。制御部は、収容部に記録シートがあるとき報知する。これにより、利用者は、記録シートが収容部に回収されていることを認識することができる。
【００１３】
収容部は、満杯か否かを検出する回収紙満杯検出部を備える。制御部は、前記収容部が満杯のとき報知する。これにより、収容部から記録シートが溢れることを防止できる。また、利用者は、収容部から記録シートを取り出す必要があることを認識することができる。
【００１４】
収容部は、上面が開放した箱とされる。前記箱は、利用者が回収された記録シートが取り出しやすいように、装置本体に対して回動自在に設けられる。
【００１５】
上記構成によると、収容部の上面が開放しているので、排紙トレイの記録シートを回収する際、載置台から記録シートを搬送あるいは落下させることで、回収することができる。また、収容部が回動するので、利用者は、収容部を傾けることができ、回収された記録シートを容易に取り出すことができる。
【発明の効果】
【００１６】
本発明によると、排紙トレイに対する利用者の取り出し操作を検出することで、記録シートが放置されているか否かを判断するため、排紙トレイの積載状態、すなわち、満杯か否かを利用者が把握していると推定できる。そのため、記録シートが所定時間以上放置されていたとしても、満杯にはなりにくいと判断して、収容部への移動を延長する。
【００１７】
これにより、排紙トレイ上の放置を抑制すると共に収容部の利用を適正化し、収容部がすぐに満杯となることを抑制することができる。
【発明を実施するための最良の形態】
【００１８】
以下、本発明の画像処理装置を詳細に説明する。なお、説明の便宜上、画像処理装置１００は、コピーモード、プリンタモード、スキャナモード、ファクシミリモード、および、ファイリングモードを有する複合機である。
【００１９】
画像処理装置１００は、図１に示すように、装置本体上部に画像読取部１１０、中央部に画像形成部２１０、下部に用紙給紙部２５０を配置して構成されている。画像処理装置１００の上面に配置された透明ガラス体の原稿台１１１の上には、原稿セットトレイ上にセットされた複数枚の原稿を１枚ずつ自動的に原稿台１１１の上へ給送する自動原稿搬送装置１１２が備えられている。用紙給紙部２５０の下方には、載置台を兼ねた多段給紙ユニット２７０が配置されている。
【００２０】
原稿台１１１の下方に位置する画像読取部１１０は、第１走査ユニット１１３、第２走査ユニット１１４、光学レンズ１１５、光電変換素子であるＣＣＤラインセンサ１１６を有する。画像読取部１１０は、自動原稿搬送装置１１２との関連した動作により、原稿台１１１上に載置された原稿の画像を所定の露光位置において相対的に走査して読み取る。
【００２１】
第１走査ユニット１１３は、原稿面上を露光する光源ランプユニット１、原稿からの反射光像を所定の方向に反射させる第１ミラー２ａを搭載している。光源ランプユニット１の照射光量は、光量センサ３によって検出される。
【００２２】
第２走査ユニット１１４は、第１ミラー２ａで反射された原稿からの反射光を光電変換素子であるＣＣＤラインセンサ１１６に導く第２ミラー２ｂ、および、第３ミラー２ｃを搭載している。光学レンズ１１５は、原稿からの反射光をＣＣＤラインセンサ１１６の受光面に結像させる。
【００２３】
画像形成部２１０には、感光体ドラム２２２を所定の電位に帯電させる帯電器２２３、原稿読取部１１０または外部装置から転送された画像データに応じてレーザ光を出射して感光体ドラム２２２上に静電潜像を形成するレーザスキャンユニット（以下、ＬＳＵという。）２２７、感光体ドラム２２２上に形成された静電潜像に現像ローラ２２８を介してトナーを供給してトナー像に顕像化する現像器２２４、感光体ドラム２２２上に形成されたトナー像を用紙に転写する転写器（転写ローラ）２２５、転写工程後の感光体ドラム２２２上に残留したトナー等を回収するクリーナ２２６が設けられている。
【００２４】
ＬＳＵ２２７は、内部に画像データによって変調されたレーザ光を照射する半導体レーザ１１、回転によってレーザ光を主走査方向に偏光するポリゴンミラー１２のレンズ群（図示せず）等と共に備えている。ポリゴンミラー１２は、モータ１３によって駆動される。
【００２５】
画像形成部２１０には、トナー像が転写された記録シートＡを加熱および加圧して記録シートＡにトナー像を定着させる定着ユニット２１７が設けられている。定着ユニット２１７は、上側の加熱ローラ２１と下側の加圧ローラ２２の一対のローラを備えている。
【００２６】
加熱ローラ２１は、ヒータを備える。加熱ローラ２１の温度は、温度センサ２３によって検出される。定着ユニット２１７の排出側には、記録シートＡの両面に画像を形成する両面画像形成モード時に記録シートの前後を反転させるスイッチバック路２２１が形成されている。スイッチバック路２２１は、記録済みの記録シートＡの排出搬送路と兼用される。
【００２７】
用紙給紙部２５０は、本体側面に装着された手差トレイ２５４、両面ユニット２５５、給紙トレイ２５１と多段給紙ユニット２７０に備えられた給紙トレイ２５２，２５３で構成されている。また、これらの給紙トレイ２５１〜２５４は、複数枚の記録シートＡを積層して収納する。給紙トレイ２５１〜２５４から給紙した記録シートＡを画像形成部２１０における感光体ドラム２２２と転写器２２５との間の転写位置へと搬送する給紙ローラ２５６、レジストローラ２５７等の搬送手段を備えている。
【００２８】
給紙ローラ２５６は、給紙トレイ２５１から記録シートＡを給紙する。レジストローラ２５７は、給紙ローラ２５６により給紙された記録シートＡを突き当て一時停止させ、斜め送りを整合する。
【００２９】
両面ユニット２５５は、記録シートＡを反転させるスイッチバック路２２１に通じており、両面画像形成モード時に表裏面が反転された記録シートＡを再給紙する。排紙ローラ２１９は，両面印刷時（用紙反転搬送時）、記録シートＡを挟持した状態で回転方向が逆転し、記録シートＡを両面ユニット２５５の方向へ搬送する。
【００３０】
第２ゲート２６３は、記録済みの記録シートＡを画像処理装置１００の本体内のメイン排紙トレイ２６４方向に搬送するか、スイッチバック路から反転搬送される記録済みの記録シートを両面ユニット２５５に搬送するかを切換える。
【００３１】
画像処理装置１００は、排紙トレイ２６４が排紙された記録シートＡで満杯になったとき、あるいは、排紙した記録シートＡが排紙トレイ２６４に所定時間以上放置されているとき、前記記録シートＡを収容部３００に回収する回収機能を備える。
【００３２】
具体的には、図１および図２に示すように、排紙トレイ２６４に放置された記録シートＡを収容する収容部である回収ＢＯＸ３００、排紙トレイ２６４に放置された記録シートＡを回収ＢＯＸ３００に導く天板３１０、天板３１０を支持する天板支えレバー３２０、天板支えレバー３２０を回転駆動させる天板支えレバー駆動モータ４２０、排紙トレイ２６４が満杯か否かを検出する排紙トレイ満杯検出部である排紙トレイ満杯検出センサ４５０、排紙トレイ２６４に記録シートＡがあるか否かを検出する排紙トレイ有無検出センサ４６０、排紙トレイ２６４に対する利用者の取り出し操作を検出する取り出し操作検出部である手挿入センサ４８０、経過時間を計測するタイマ４１０、これら装置の制御を司る制御部４００を備える。
【００３３】
回収ＢＯＸ３００は、記録シートＡを収納する上面が開放した矩形状の箱である。回収ＢＯＸ３００は、画像処理装置１００の本体左側部で、排紙トレイ２６４より下方に配置される。回収ＢＯＸ３００は、画像処理装置１００に対して回転自在に支持される。具体的には、回収ＢＯＸ３００の背面（画像処理装置１００の左側側壁と接触する面）の中心を軸にして、画像処理装置１００の前後方向に回転する。回収ＢＯＸ３００の記録シートＡの収容量は、排紙トレイ２６４のシート積載量よりも大とされる。これにより、排紙トレイ２６４から記録シートＡを送り出したとき、記録シートＡは、回収ＢＯＸ３００からこぼれずに収容できる。
【００３４】
回収ＢＯＸ３００は、回収紙有無検出部である回収紙有無検出センサ４３０、回収紙満杯検出部である回収紙満杯検出センサ４４０、表示ランプである回収お知らせランプ４７０を備える。
【００３５】
回収紙有無検出センサ４３０は、回収ＢＯＸ３００の中に回収された記録シートＡがあるか否かを検出する。回収紙有無検出センサ４３０は、回収ＢＯＸ３００の中央より若干下方で、その側壁に配置される。
【００３６】
回収紙満杯検出センサ４４０は、回収ＢＯＸ３００の中の記録シートＡの総重量を測定し、あらかじめ設定された所定の重量を超えていた時に満杯を検出する重量センサである。回収紙満杯検出センサ４４０は、回収ＢＯＸ３００の底面に配置される。
【００３７】
回収お知らせランプ４７０は、ＬＥＤや表示灯といった表示ランプである。回収お知らせランプ４７０は回収紙有無検出センサ４３０が回収ＢＯＸ３００の中に記録シートＡがあることを検出した時に点滅する。
【００３８】
天板３１０は、排紙された記録シートＡを受ける載置台であって、排紙トレイ２６４の一部である。天板３１０の下方には、スペースが形成される。天板３１０の一端を軸にして他端が下がるように傾斜自在に備えられる。天板３１０の他端が下がったとき、天板３１０の他端が回収ＢＯＸ３００の開口に近づく。これにより、傾斜した天板３１０を滑り落ちた記録シートＡが回収ＢＯＸ３００に収容できる。
【００３９】
天板３１０は、記録シートＡを回収ＢＯＸ３１０に搬送するための３つのローラ３１１，３１２，３１３を備える。各ローラ３１１，３１２，３１３は、その一部が天板３１０から突出しており、記録シートＡと接触する。各ローラ３１１，３１２，３１３は、ローラ駆動モータ４９０を有する。各ローラ３１１，３１２，３１３は、ローラ駆動モータ４９０の駆動により回転駆動する。
【００４０】
天板支えレバー３２０は、天板３１０の下方に配置される。天板支えレバー３２０は、画像処理装置１００に対して回動自在に支持されており、天板支えレバー駆動モータ４２０の駆動により回転駆動する。なお、天板３１０、各ローラ３１１，３１２，３１３、ローラ駆動モータ４９０、天板支えレバー３２０、天板支えレバー駆動モータ４２０とから回収機構が形成される。
【００４１】
排紙トレイ満杯検出センサ４５０は、回動可能なレバーを有する検出センサで、排紙トレイ２６４に備えられる。排紙トレイ満杯検出センサ４５０は、排紙トレイ２６４上の記録シートＡの上面が当接してレバーが回動され、そのレバーの傾き角により満杯を検出する。
【００４２】
排紙トレイ有無検出センサ４６０は、リミットスイッチであって、天板３１０に備えられる。排紙トレイ有無検出センサ４６０は、排紙トレイ２６４上の記録シートの下面が当接してスイッチが押し下げられることで、排紙トレイ２６４上に記録シートＡがあることを検出する。
【００４３】
手挿入センサ４８０は、排紙トレイ２６４に手を入れたことを検出する透過型光学センサである。手挿入センサ４８０は、発光部４８１と受光部４８２と備える。発光部４８１は操作パネル（図示せず）の下方に、受光部４８２は排紙トレイ２６４の上面にそれぞれ配置される。手挿入センサ４８０は、発光部４８１が発光した光が遮光されると、利用者が手を入れたと検出できる。手挿入センサ４８０は、排紙トレイ２６４の周辺を囲むように複数の配置することが好ましい。例えば、排紙された記録シートＡが積載される位置よりも外周配置される。あるいは、排紙トレイ２６４の外周端で、手挿入センサ４８０が外に向くように配置される。この構成により、排紙された記録シートＡによって利用者が排紙トレイ２６４に手を入れたと誤検出を防止できる。
【００４４】
制御部４００は、ＲＯＭ（図示せず）およびＲＡＭ（図示せず）を備えたＣＰＵである。制御部４００は、ＲＯＭに予め書き込まれたプログラムにしたがって各装置を統括して制御し、この間に入出力されるデータをＲＡＭの所定のメモリエリアに一時記憶する。制御部４００は、画像処理回路（図示せず）から出力された画像データを画像メモリ（図示せず）に記憶させる。制御部４００は、ＬＡＮやインターネットを介して接続されるクライアントＰＣから送信された画像データやパスワード等のジョブ情報をＨＤＤ（図示せず）に記憶させる。
【００４５】
制御部４００は、排紙トレイ２６４が満杯になったとき、排紙トレイ２６４上の記録シートＡを回収する。具体的には、制御部４００は、排紙トレイ満杯検出センサ４５０からの検出信号を受信すると、排紙トレイ２６４が満杯と判断する。制御部４００は、天板支えレバー駆動モータ４２０を駆動させ、天板支えレバー３２０を下方に回転させる。これにより、天板３１０は、天板支えレバー３２０の回転に追従して傾く。制御部４００は、ローラ駆動モータ４９０を駆動させて、各ローラ３１１，３１２，３１３を回転駆動させる。これにより、排紙トレイ２６４上の記録シートＡは、ローラ３１１，３１２，３１３によって、回収ＢＯＸ３００に導かれ、回収される。
【００４６】
制御部４００は、排紙した記録シートＡが排紙トレイ２６４に所定時間以上放置されているとき、排紙トレイ２６４上の記録シートＡを回収する。具体的には、制御部４００は、排紙トレイ有無検出センサ４６０からの検出信号を受信すると、タイマ４１０にアクセスしてタイムカウントを開始させる。あらかじめ設定した所定時間が経過すると、制御部４００は、上述の排紙トレイ２６４が満杯になったときの動作と同様に排紙トレイ２６４上の記録シートＡを回収する。タイムカウント中に手挿入センサ４８０からの検出信号を受信すると、制御部４００は、排紙トレイ２６４の積載状態を利用者に把握されていると判断し、タイマ４１０のタイムカウントをリセットする。そして、制御部４００は、手挿入センサ４８０からの検出信号を受信したときから再度タイムカウントを開始させる。
【００４７】
次に回収機能の動作の概要を、図３および図４に基づいて説明する。なお、説明の便宜上、処理はコピーモードとする。
【００４８】
図３の（ａ）は初期状態の画像処理装置１００である。利用者が原稿台１１１に原稿を載置して、処理情報を入力する。利用者が開始ボタンを押し下げすると、制御部４００は、入力された処理情報に基づいて処理を開始する。記録済みの記録シートＡが排紙トレイ２６４に排紙されたことを排紙トレイ有無検出センサ４６０が検出すると、制御部４００は、タイマ４１０にアクセスしてタイムカウントを開始させる（Ｓ１００）。
【００４９】
制御部４００は、所定時間を経過したかを確認する（Ｓ１１０）。所定時間を経過していない場合、制御部４００は、排紙トレイ２６４が満杯になったかを確認する（Ｓ１１５）。満杯になっていない場合、制御部４００は、利用者が排紙トレイ２６４に手を入れたことを検出したか否かを確認する（Ｓ１２０）。
【００５０】
利用者が排紙トレイ２６４に手を入れたことを検出した場合（図３（ｂ）参照）、制御部４００は、排紙トレイ有無検出センサ４６０の検出結果から排紙トレイ２６４上に記録シートＡがあるか否かを確認する。排紙トレイ２６４上に記録シートＡがない場合、制御部４００は、利用者の取り出し操作によって記録シートＡが全て取り出されたと判断する。そして、画像処理装置１００は待機状態となる。
【００５１】
排紙トレイ２６４上に記録シートＡがある場合、すなわち、利用者の取り出し操作によって全ての記録シートＡが取り出されなかった場合、制御部４００は、タイマ４１０のタイムカウントをリセットし、再度、タイムカウントを開始させる。そして、制御部４００は、所定時間を経過したかを確認する（Ｓ１１０）。
【００５２】
利用者が排紙トレイ２６４に手を入れたことを検出しなかった場合、制御部４００は、再度、所定時間を経過したかを確認する（Ｓ１１０）。
【００５３】
Ｓ１１０で所定時間を経過した場合（図３（ｃ）参照）、あるいは、排紙トレイ２６４が満杯になった場合、制御部４００は、回収ＢＯＸ３００が満杯か否かを確認する（Ｓ１３０）。回収ＢＯＸ３００が満杯の場合、制御部４００は、操作パネル（図示せず）の液晶表示に回収ＢＯＸ３００が満杯である旨のエラーメッセージを表示させる（Ｓ１７０）。そして、画像処理装置１００は待機状態となる。
【００５４】
回収ＢＯＸ３００が満杯でない場合、制御部４００は、図３（ｄ）に示すように、天板支えレバー駆動モータ４２０を駆動させて天板支えレバー３２０を反時計回りに回転させ、天板３１０を傾けさせる（Ｓ１４０）。制御部４００は、図３（ｅ）に示すように、ローラ駆動モータ４９０を駆動させて各ローラ３１１，３１２，３１３を回転させ、記録シートＡを回収ＢＯＸ３００に搬送する（Ｓ１５０）。
【００５５】
制御部４００は、排紙トレイ２６４に記録シートＡがあるか否かを確認する。制御部４００は、記録シートＡがすべて搬送されるまでローラ駆動モータ４９０を駆動させる。すべての記録シートＡを回収ＢＯＸ３００に搬送すると、制御部４００は、図３（ｆ）に示すように、天板支えレバー駆動モータ４２０を駆動させて天板支えレバー３２０を時計回りに回転させ、天板３１０を元に戻す（Ｓ１６０）。そして、画像処理装置１００は待機状態となる。
【００５６】
利用者は、図３（ｇ）に示すように、回収ＢＯＸ３００を記録シートＡが取り出しやすいように回転させ、記録シートＡを取り出す。記録シートＡを取り出したことを回収紙有無検出センサ４３０あるいは回収紙満杯検出センサ４４０が検出すると、制御部４００は、排紙トレイ２６４に記録シートＡがあるか否かを確認し、ない時は待機状態となり、ある時は回収動作を開始する。
【００５７】
これにより、排紙トレイ２６４上の記録シートＡの放置を抑制すると共に回収ＢＯＸ３００の利用を適正化して、回収ＢＯＸ３００がすぐに満杯となることを抑制できる。
なお、本発明は、上記実施形態に限定されるものではなく、本発明の範囲内で上記実施形態に多くの修正および変更を加え得ることは勿論である。本実施形態では、コピーモードで説明したが、特にこの限りではなく、プリンタモード、ファクシミリモードといったように、排紙トレイに記録シートを排紙するモードであれば良い。
【００５８】
本実施形態では、回収ＢＯＸに、回収紙有無検出センサと回収紙満杯検出センサの２種類のセンサを設け、回収紙有無検出センサで記録シートの有無を検出し、回収紙満杯検出センサで満杯か否かを検出しているが、特に限りではない。例えば、回収紙満杯検出センサだけで、記録シートの有無および満杯か否かを検出してもよい。
【図面の簡単な説明】
【００５９】
【図１】本実施形態に係る画像処理装置の断面図
【図２】画像処理装置のブロック図
【図３】回収機能の動作の概要を示す図
【図４】回収機能の動作を示すフローチャート
【符号の説明】
【００６０】
１００  画像処理装置
２６４  排紙トレイ
３００  回収ＢＯＸ
３１０  天板
３２０  天板支えレバー
４００  制御部
４１０  タイマ
４２０  天板支えレバー駆動モータ
４３０  回収紙有無検出センサ
４４０  回収紙満杯検出センサ
４５０  排紙トレイ満杯検出センサ
４６０  排紙トレイ有無検出センサ
４７０  回収お知らせランプ
４８０  手挿入センサ
４９０  ローラ駆動モータ
Ａ  記録シート
【図１】
2009269737.tif 000003
【図２】
2009269737.tif 000004
【図３】
2009269737.tif 000005
【図４】
2009269737.tif 000006